(57)【要約】【課題】  暗闇の中や夜間における停電時にあっても表示部を発光させて看者が明確に視認でき、かつ、省電力性に優れた表示器を得る。【解決手段】  耐雨、耐光性を有する透明アクリル板からなり表面又は裏面の一方に不透明な表示部３を有する表示板４と、表示板４の裏面に設けられる隠蔽層をもたない蓄光剤を混入しただけの蓄光シート５と、蓄光シート５の裏面に設けられかつ光を均一状に分散しながら透過する乳白色プレート６と、乳白色プレート６の裏面に設けられる導光板７と、導光板７の裏面位置に配設されかつリチューム電池又は太陽電池などを発電源として蓄光シート５に光を照射するＬＥＤライト８，８と、ＬＥＤライト８，８と導光板７の裏面側に設けられ蓄光シート５の隠蔽層機能を有する鏡面反射板９とを設けた。【選択図】図２
2011065116.tif 000002
【特許請求の範囲】
【請求項１】
耐雨、耐光性を有する透明アクリル板からなり表面又は裏面の一方に不透明な表示部３を有する表示板４と、表示板４の裏面に設けられる隠蔽層をもたない蓄光剤を混入しただけの蓄光シート５と、蓄光シート５の裏面に設けられかつ光を均一状に分散しながら透過する乳白色プレート６と、乳白色プレート６の裏面に設けられる導光板７と、導光板７の裏面位置に配設されかつリチューム電池又は太陽電池などを発電源として蓄光シート５に光を照射するＬＥＤライト８，８と、ＬＥＤライト８，８と導光板７の裏面側に設けられ蓄光シート５の隠蔽層機能を有する鏡面反射板９とを備え、ＬＥＤライト８，８から照射された光を導光板７及び乳白色プレート６を介して蓄光シート５に直接的に裏面照射すると共に、乳白色プレート６にて光を均一化しながら蓄光シート５に照射して蓄光シート５において均一状でかつ多量に蓄光するようにしたことを特徴とする表示器。
【請求項２】
ＬＥＤライト８，８が、少なくとも暗闇の中や夜間においてその１分間の点灯と、３０分間の消灯とを交互に繰り返すように設定されていることを特徴する請求項１記載の表示器。
【発明の詳細な説明】
【技術分野】
【０００１】  本発明は、表示器、詳しくは避難誘導標識や各種看板等に用いられ、夜間などの薄暗い場所においても明確に視認できる機能を備えた表示器に関するものである。
【背景技術】
【０００２】  従来、たとえば避難誘導標識や各種看板を夜間などの薄暗い場所においても表示できるように、蓄光材を用いて作られた表示体を備えた表示器が知られている。蓄光材は、外部の光を吸収して蓄積し、その蓄積後、暗中で蓄積した光を自発光する機能を有するものである。
【発明の開示】
【発明が解決しようとする課題】
【０００３】  ところが、蓄光材は、日中の太陽光を吸収して蓄積するものの、その蓄積した光は、暗くなり始めた日没と共に短時間で放出してしまうものであった。そのため、表示器の近くに蛍光灯などの光が常に必要であり、たとえば夜が更けて蛍光灯などの光を消灯したり或いは停電したりすると、蓄光材に蓄積した光はやはり短時間で放出してしまうものであった。その結果、暗闇の中や夜間における停電時にあっては蓄光材による発光が殆どみられず、表示部を明確に認識できなくなり、避難誘導標識や各種看板の本来の機能を果たせなくなるといった問題を有していた。【０００４】  そこで、本発明は、暗闇や夜間における停電時にあっても表示部を発光させて看者が明確に視認でき、かつ、省電力性に優れた表示器の提供を課題とする。
【課題を解決するための手段】
【０００５】  上記した問題を解決するために、本願の請求項１記載の発明は、耐雨、耐光性を有する透明アクリル板からなり表面又は裏面の一方に不透明な表示部３を有する表示板４と、表示板４の裏面に設けられる隠蔽層をもたない蓄光剤を混入しただけの蓄光シート５と、蓄光シート５の裏面に設けられかつ光を均一状に分散しながら透過する乳白色プレート６と、乳白色プレート６の裏面に設けられる導光板７と、導光板７の裏面位置に配設されかつリチューム電池又は太陽電池などを発電源として蓄光シート５に光を照射するＬＥＤライト８，８と、ＬＥＤライト８，８と導光板７の裏面側に設けられ蓄光シート５の隠蔽層機能を有する鏡面反射板９とを備え、ＬＥＤライト８，８から照射された光を導光板７及び乳白色プレート６を介して蓄光シート５に直接的に裏面照射すると共に、乳白色プレート６にて光を均一化しながら蓄光シート５に照射して蓄光シート５において均一状でかつ多量に蓄光するようにしたことを特徴とする。【０００６】  また、本願の請求項２記載の発明は、上記した請求項１記載のＬＥＤライト８，８が、少なくとも暗闇の中や夜間においてその１分間の点灯と、３０分間の消灯とを交互に繰り返すように設定されていることを特徴する。【０００７】  本発明によれば、上記した構成によりＬＥＤライト８，８から照射された光を導光板７と乳白色プレート６を介して蓄光シート５に直接的に効率よく裏面照射することができると共に、乳白色プレート６にて光を均一化しながら蓄光シート５に照射することができ、これにより蓄光シート５において均一状でかつ多量に蓄光することができる。その結果、ＬＥＤライト８，８の点灯時間をごく短時間に抑えることができ、しかも、蓄光シート５に多量に確保した蓄光を長時間にわたって所定以上の輝度を維持しながら発光させることができる。したがって、昼間は太陽光による蓄光シート５，５の発光により表示板４の表示部３を明確に視認でき、また、暗闇の中や夜間においては、リチューム電池又は太陽電池などを発電源１２とするＬＥＤライト８，８の間歇的な点灯と消灯の繰り返しによる蓄光シート５，５の発光により、表示板４の表示部３が後ろからライトアップされて、表示板４の表示部３を暗闇の中や夜間の停電時においても明確に視認でき、かつ、省電力性に優れている。【０００８】  また、暗闇の中や夜間においてＬＥＤライト８，８をごく僅かな１分間の点灯と、３０分間の消灯とを交互に繰り返すように設定しても蓄光シート５を十分に発光させて表示部３を明確に視認させることが可能で、特に省電力性に優れている。
【発明を実施するための最良の形態】
【０００９】  以下、本発明の実施の形態を図に基づいて説明する。【００１０】  図１及び図２は本発明の表示器を示し、該表示器１は、ケース本体２と、ケース本体２の上部２ａ内に設けられる耐雨、耐光性を有する透明アクリル板からなり表面に不透明な表示部３を有する表示板４と、表示板４の裏面に設けられる隠蔽層をもたない蓄光剤を混入しただけの肉厚の蓄光シート５と、蓄光シート５の裏面に設けられかつ光を均一状に分散しながら透過する乳白色プレート６と、乳白色プレート６の裏面に設けられる導光板７と、導光板５の裏面位置に配設されかつリチューム電池又は太陽電池などを発電源として蓄光シート５に光を直接的に照射するＬＥＤライト８，８と、ＬＥＤライト８，８と導光板７の裏面側に設けられ上記蓄光シート５の隠蔽層機能を有する鏡面反射板９と、鏡面反射板９の裏面に設けられる保持板１０と、ケース本体２の下部２ｂ内に設けられＬＥＤライト８，８にソケット１１，１１などの適宜接続手段を介して接続されるリチューム電池又は太陽電池などの発電源１２を備えている。【００１１】  表示板４は、例えば透明フィルムや透明板に任意の図形や文字等（例えば避難誘導用の標識）からなる不透明な表示部３が印刷等により形成されている。表示部３は光が透過することがないので、表示板４における表示部３以外の残りの部分に光を透すことにより、暗闇のなかでも表示部３を看者に認識させることができる。表示部３は印刷による他、塗布、熱転写、貼り付けなどにより形成してもよい。また、表示部３は図に示すように、表示板４の表面に設ける他、表示板４の裏面に設けてもよい。【００１２】  蓄光シート５は、適宜蓄光剤を混合した厚めのシートで形成され、この蓄光シート５自体には、裏面側からの光を直接的に受け止めて多量の光を効果的に蓄光できるようにするため隠蔽層を有していない。【００１３】  乳白色プレート６は、アクリル樹脂にチタンの粉末を混入したもので、光透過性を有しながらも蓄光シート５にＬＥＤライト８，８からの光を均一状に分散したうえで照射する機能を有している。【００１４】  導光板７は、アクリル樹脂板、ポリカーボネート導光板、光学ガラス板などの光透過性の良好な透明板からなる。また、鏡面板９は、アルミニウム蒸着樹脂フィルム又はシートからなる。【００１５】  表示板４、蓄光シート５、乳白色プレート６、導光板７、ＬＥＤライト８，８、鏡面反射板９、保持体１０は、ケース本体２の上部２ａにアルミ製の保持板１４，１４を介して前後方向に積層状態に収容されると共に、ＬＥＤライト８，８は蓄光シート５に光を直接的に照射して短時間で多量の蓄光ができるように導光板７の裏面位置に取り付けられている。また、ＬＥＤライト８，８の色としては任意に選択できるが、たとえば表示器１を屋外に設置する場合、人の心を落ち着かせ犯罪の抑制効果がある青色発光の蓄光顔料のものを使用するのが好ましい。【００１６】  また、リチューム電池又は太陽電池などの発電源１２はケース本体２の下部２ｂに収容されている。太陽電池を用いる場合、たとえばケース本体２の上方パネル部２ａの上面などに、ソーラーパネルを設ければよい。【００１７】  また、ＬＥＤライト８，８と発電源１２との接続手段には、光センサー１５が接続されたスイッチ回路（図示せず）が設けられている。そして、光センサー１５によって検知される明るさが所定の明るさ以下になるとスイッチ回路がオン動作され、ＬＥＤライト８，８を１分間点灯し、その後、ＬＥＤライト８，８を３０分間消灯し、この点灯、消灯を光センサー１５が所定の明るさを検知するまで繰り返し行うように構成されている。【００１８】  次に、上記した表示器１の作用を実験例に基づいて説明する。【００１９】  実験例では、ＬＥＤライト８，８を１分間点灯して、ＬＥＤライト８，８から照射された光を導光板７及び乳白色プレート６を介して蓄光シート５に直接的に裏面照射し、その後、ＬＥＤライト１０，１０を３０分間消灯し、この点灯、消灯を２４時間繰り返し行った。この間の表示器１における１分間点灯した直後における輝度は約１２００ｍｃｄ／ｍ２と非常に高い輝度が得られ、また、その３０分後における輝度は下記の表１に示す通り９０ｍｃｄ／ｍ２以上であり、表示部（標識）３を看者が明確に視認できる輝度を十分に維持できるものであった。
【表１】
2011065116.tif 000003
【００２０】  以上のように、本発明の表示器１によれば、ＬＥＤライト８，８から照射された光を導光板７と乳白色プレート６を介して蓄光シート５に直接的に効率よく裏面照射することができると共に、乳白色プレート６にて光を均一化しながら蓄光シート５に照射することができ、これにより蓄光シート５において均一状でかつ多量に蓄光することができる。その結果、ＬＥＤライト８，８の点灯時間をごく短時間に抑えることができ、しかも、蓄光シート５に多量に確保した蓄光を長時間にわたって所定以上の輝度を維持しながら発光させることができる。したがって、昼間は太陽光による蓄光シート５，５の発光により表示板４の表示部３を明確に視認でき、また、暗闇の中や夜間においては、リチューム電池又は太陽電池確に視認でき、また、暗闇の中や夜間においては、リチューム電池又は太陽電池などを発電源１２とするＬＥＤライト８，８の間歇的な点灯と消灯の繰り返しによる蓄光シート５，５の発光により、表示板４の表示部３が後ろからライトアップされて、表示板４の表示部３を暗闇の中や夜間の停電時においても明確に視認でき、かつ、省電力性に優れている。【００２１】  また、ＬＥＤライト６，６を、ごく僅かな１分間の点灯と、３０分間の消灯とを交互に繰り返すように設定しても蓄光シート５を十分に発光させて表示部３を明確に視認でさせることができるので、特に省電力性に優れている。
【図面の簡単な説明】
【００２２】
【図１】  本発明の表示器の概略正面図である。
【図２】  図１のＡ−Ａ線断面図である。
【符号の説明】
【００２３】１          表示器
３          表示部
４          表示板
５          蓄光シート
６          乳白色プレート
７          導光板
８          ＬＥＤライト
９          鏡面反射板
【図１】
2011065116.tif 000004
【図２】
2011065116.tif 000005